(57)【要約】【課題】  共同受信システムで不要な隣接チャンネルを簡単な構成で安価に除去する。【解決手段】  共同受信システムのヘッドエンド４の隣接チャンネル除去装置２は、入力端子１０、出力端子２２を有している。共同受信システムの送信エリアへの送信が禁止されている第１の放送信号と、第１の放送信号の上下隣接チャンネルであって送信エリアに送信する必要のある第２及び第３の放送信号とが入力端子１０に供給される。入力端子１０と出力端子２２との間に、第１の放送信号を除去する帯域除去フィルタ１４と、第２の放送信号を通過させ、第１の放送信号を除去するローパスフィルタ１６とが直列に接続され、この直列回路に並列に第３の放送信号を通過させるハイパスフィルタ２０が接続されている。【選択図】        図１
2007166499.tif 000002
【特許請求の範囲】
【請求項１】
共同受信システムのヘッドエンドに設けられた隣接チャンネル除去装置であって、
前記共同受信システムの送信エリアへの送信が禁止されている第１の放送信号と、第１の放送信号とチャンネルが隣接し、前記送信エリアに送信する必要のある第２の放送信号とを含む放送信号群が供給される入力端子と、
前記ヘッドエンドに接続される出力端子と、
第１の放送信号を除去する除去フィルタと、
第２の放送信号を通過させ、第１の放送信号を除去する第１の通過フィルタとを、
具備し、前記除去フィルタと第１の通過フィルタとが直列に、前記入力端子と前記出力端子との間に接続されている隣接チャンネル除去装置。
【請求項２】
請求項１記載の隣接チャンネル除去装置において、第１の通過フィルタ及び前記除去フィルタがＬＣ回路によって構成されている隣接チャンネル除去装置。
【請求項３】
請求項１記載の隣接チャンネル除去装置において、前記放送信号群が、前記送信エリアに送信する必要のある第３の放送信号を含み、第３の放送信号は、第１の放送信号を挟んで第２の放送信号と反対側で第１の放送信号と隣接し、
第３の放送信号を通過させ、第１の放送信号を除去する第２の通過フィルタが設けられ、第１の通過フィルタに第２の放送信号が、第２の通過フィルタに第３の放送信号が、それぞれ供給されるように、第２の通過フィルタが前記入力端子と前記出力端子との間に接続されている隣接チャンネル除去装置。
【請求項４】
請求項３記載の隣接チャンネル除去装置において、第１及び第２の通過フィルタ並びに前記除去フィルタがＬＣ回路によって構成されている隣接チャンネル除去装置。
【請求項５】
請求項１乃至４いずれか記載の隣接チャンネル除去装置が、前記ヘッドエンドに着脱自在に設けられている共同受信システム。
【発明の詳細な説明】
【技術分野】
【０００１】
本発明は、共同受信システムに供給される複数の放送信号のうち、チャンネル（周波数帯）が隣接している一方の放送信号を除去する装置に関する。
【背景技術】
【０００２】
地上デジタルテレビジョン放送が開始されているが、地上デジタルテレビジョン放送は、隣接チャンネルで送信されることが多い。また、これら地上デジタルテレビジョン放送と地上アナログテレビジョン放送とが混在し、地上アナログテレビジョン放送信号も地上デジタルテレビジョン放送信号と隣接チャンネルで送信されることがある。例えば地上デジタル放送が１３乃至１８チャンネルの６波と、２３乃至２５チャンネルの３波で送信され、１９チャンネルで地上アナログテレビジョン放送信号が、送信されている。このような地上デジタルテレビジョン放送と地上アナログテレビジョン放送信号とを共同受信システムの各端末に伝送する場合、例えば特許文献１の図３に開示されているようなヘッドエンドが使用される。
【０００３】
この特許文献１の技術では、１３乃至１８チャンネルと２４チャンネルの地上デジタル放送信号と地上アナログテレビジョン放送信号とは、同一の送信点地上デジタルテレビジョン放送信号２３、２５の送信点とが異なるので、これら異なる送信点に向けた２つのアンテナでの受信信号が互いに干渉しないようにする必要がある。そのため、アンテナで受信した２３及び２５チャンネルの地上デジタル放送の信号を２分配して、２３チャンネルを通過させるバンドパスフィルタを介してコアプリプロセッサに入力する。コアプリプロセッサでは、中間周波信号に周波数変換して、ＳＡＷフィルタによって中間周波信号以外の成分を除去した後に、レベル調整を行った後、元の周波数に戻す。同様に２５チャンネルもバンドパスフィルタとコアプリプロセッサとでレベル調整を行う。また、別のアンテナで受信した信号を２分配し、その一方の分配出力からバンドパスフィルタで２４ｃｈの地上デジタルテレビジョン放送信号を抽出し、コアプリプロセッサによってレベル調整を行う。２分配出力の他方は、ローパスフィルタに供給され、１３乃至１８チャンネルの地上デジタルテレビジョン放送信号と１９チャンネルの地上アナログテレビジョン放送信号とが抽出される。これら全ての信号が合成されて、各端末に伝送される。
【０００４】
【特許文献１】特開２００３−３０９７３９号公報
【発明の開示】
【発明が解決しようとする課題】
【０００５】
このようなヘッドエンドを用いた共同受信システムを使用する場合、その設置場所によっては、１３乃至１８チャンネルの地上デジタルテレビジョン放送信号のうち、１波をその設置場所に伝送することが禁止されていることがある。例えば１３乃至１７チャンネルの地上デジタルテレビジョン放送信号と１９チャンネルの地上アナログ放送信号とは伝送することが可能であるが、これらと共に１８チャンネルの地上デジタル放送信号を送信することができないことがある。このような場合、１８チャンネルに隣接する１７チャンネル及び１９チャンネルに影響を与えることなく、１８チャンネルを除去する必要がある。そのためには、１３乃至１７チャンネル及び１９チャンネルそれぞれに対して、上述したようなバンドパスフィルタ及びコアプリプロセッサを設けて、必要なチャンネルのみを各端末に伝送するように構成しなければならない。そのため、ヘッドエンドの構成が複雑になり、コストも高くなっていた。なお、上記の例は、不要なチャンネルの上下両側に必要なチャンネルが存在する例であるが、場合によっては不要なチャンネルの上側または下側の一方にのみ隣接して必要なチャンネルが存在することもある。この場合でも、上記と同様な問題が発生する。
【０００６】
本発明は、共同受信システムにおいて、不要な隣接チャンネルを簡単な構成でかつ安価に除去することができる隣接チャンネル除去装置を提供することを目的とする。
【課題を解決するための手段】
【０００７】
本発明の一態様の隣接チャンネル除去装置は、共同受信システムのヘッドエンドに設けられている。この隣接チャンネル除去装置は、入力端子を有している。この入力端子には、共同受信システムの送信エリアへの送信が禁止されている第１の放送信号と、第１の放送信号とチャンネルが隣接し、前記送信エリアに送信する必要のある第２の放送信号とを含む放送信号群が供給されている。放送信号群には、第１及び第２の放送信号以外の放送信号が含まれることがある。第２の放送信号は、第１の放送信号の下側または上側でこれに隣接している。この隣接チャンネル除去装置は、ヘッドエンドに接続される出力端子も有している。更に、第１の放送信号を除去する除去フィルタと、第２の放送信号を通過させ、第１の放送信号を除去する第１の通過フィルタとも、有している。前記除去フィルタと第１の通過フィルタとが直列に、前記入力端子と前記出力端子との間に接続されている。除去フィルタ及び第１の通過フィルタは、第１の放送信号の中心周波数近傍に減衰の極を持つように設定されることが望ましい。
【０００８】
このように構成された隣接チャンネル除去装置では、第１の帯域通過フィルタ及び帯域除去フィルタによって、第１の放送信号が除去された状態で、放送信号群の各放送信号がヘッドエンドに供給される。しかも、その構成は２つのフィルタを用いた簡単な構成であり、コストも低減される。
【０００９】
第１の通過フィルタ及び前記除去フィルタをＬＣ回路によって構成することができる。２つのフィルタを使用しているので、各フィルタをそれぞれ急峻な特性を持つフィルタにする必要が無く、ＬＣ回路を用いたフィルタとすることができるので、コストをさらに低減することができる。
【００１０】
前記放送信号群が、前記送信エリアに送信する必要のある第３の放送信号を含み、第３の放送信号は、第１の放送信号を挟んで第２の放送信号と反対側で第１の放送信号と隣接するものとすることができる。第２及び第３の放送信号は、いずれが第１の放送信号の上側でこれに隣接しても良い。この場合、第３の放送信号を通過させ、第１の放送信号を除去する第２の帯域通過フィルタが設けられる。第１の帯域通過フィルタに第２の放送信号が、第２の帯域通過フィルタに第３の放送信号が、それぞれ供給されるように、第２の帯域通過フィルタが前記入力端子と前記出力端子との間に接続される。従って、第１の帯域通過フィルタと帯域除去フィルタとが直列に接続され、これに並列に第２の帯域通過フィルタが並列に接続されてもよいし、逆に第２の帯域通過フィルタと帯域除去フィルタとが直列に接続され、これに並列に第１の帯域通過フィルタが接続されてもよいし、第１及び第２の帯域通過フィルタが並列に接続され、これと直列に帯域除去フィルタが接続されてもよい。除去フィルタ並びに第１及び第２の通過フィルタは、第１の放送信号の中心周波数の付近に減衰の極を持つように設定されていることが望ましい。
【００１１】
このように構成すると、第１及び第２の帯域通過フィルタ及び帯域除去フィルタによって、第１の放送信号が除去された状態で、第２及び第３の放送信号を含む各放送信号がヘッドエンドに供給される。しかも、その構成は３つのフィルタを用いた簡単な構成であり、コストも低減される。
【００１２】
第１及び第２の通過フィルタ並びに前記除去フィルタをＬＣ回路によって構成することもできる。この場合も、コストを更に低減することができる。
【００１３】
上述したいずれかの隣接チャンネル除去装置を、前記ヘッドエンドに着脱自在にすることもできる。この場合、例えば第１乃至第３の放送信号に地上アナログテレビジョン放送信号が含まれていると、将来、地上アナログテレビジョン放送は終了する。従って、終了した時点で、この隣接チャンネル除去装置は不要であるので、容易に除去することができる。
【発明の効果】
【００１４】
以上のように、本発明によれば、簡単な構成でかつ低コストで、隣接チャンネルを除去することができる。
【発明を実施するための最良の形態】
【００１５】
本発明の第１実施形態の隣接チャンネル除去装置２は、図２に示すように、共同受信システムのヘッドエンド４の入力側に設けられている。この隣接チャンネル除去装置２は、例えばプラグイン方式で、ヘッドエンド４に着脱自在に設けられている。ヘッドエンド４の構成は、種々のものがあり、例えば、隣接チャンネル除去装置２から供給された各テレビジョン放送信号を広帯域の増幅器によって増幅して、共同受信システムの各端末に伝送する。
【００１６】
隣接チャンネル除去装置２には、アンテナ６からテレビジョン放送信号群が供給されている。このテレビジョン放送信号群は、例えば１３チャンネル乃至１８チャンネルの地上デジタルテレビジョン放送信号と、１９チャンネルの地上アナログテレビジョン放送信号を含んでいる。この共同受信システムは、アンテナ６では１８チャンネルの地上デジタルテレビジョン放送信号を受信できているが、共同受信システムの設置地域の関係上、チャンネル１８の地上デジタルテレビジョン放送が県域外放送であり、その送信エリア内にチャンネル１８の地上デジタルテレビジョン放送信号を送信することができないものである。従って、１８チャンネルの地上デジタルテレビジョン放送信号が、第１の放送信号に相当し、１７チャンネルの地上デジタルテレビジョン放送信号が、第２の放送信号に相当し、１９チャンネルの地上アナログテレビジョン放送信号が、第３の放送信号に相当する。
【００１７】
隣接チャンネル除去装置２は、図１に示すように、入力端子１０を有し、これには、アンテナ６からテレビジョン放送信号群が供給されている。入力端子１０からのテレビジョン放送信号群は、入力コンデンサ７を介して分配手段、例えば２分配器１２に供給され、２分配器１２によって２分配される。
【００１８】
この２分配出力の一方は、帯域除去フィルタ１４に供給されている。帯域除去フィルタ１４は、阻止すべきチャンネルである１８チャンネルの地上デジタルテレビジョン放送信号を大きく減衰させるように、その減衰域が設定されたもので、例えばＬＣ回路によって構成されている。この帯域除去フィルタ１４では、その減衰点の極を１８チャンネルの中心周波数に設定してある。この帯域除去フィルタ１４の出力信号は、帯域除去フィルタ１４と直列に接続されている第１の帯域通過フィルタ、例えばローパスフィルタ１６に供給されている。ローパスフィルタ１６は、１７チャンネル以下の地上デジタルテレビジョン放送信号を通過させ、１８チャンネル以上のテレビジョン放送信号を大きく減衰させるように、遮断周波数が選択され、例えばＬＣ回路によって構成されている。このローパスフィルタ１６の減衰点の極は、１８チャンネルの中心周波数の近傍、例えば中心周波数よりも約２ＭＨｚ低い周波数に設定されている。このローパスフィルタ１６の出力信号が、合成器１８に供給されている。
【００１９】
分配器１２の他方の分配出力は、第２の帯域通過フィルタ、例えばハイパスフィルタ２０に供給されている。ハイパスフィルタ２０は、１９チャンネル以上のテレビジョン放送信号を通過させ、１８チャンネル以下のテレビジョン放送信号を大きく減衰させるように、その遮断周波数が選択されている。ハイパスフィルタ２０もＬＣ回路によって構成されている。このハイパスフィルタ２０の減衰点の極は、１８チャンネルの中心周波数の近傍、例えば中心周波数よりも約２ＭＨｚ高い周波数に設定されている。ハイパスフィルタ２０の出力信号が合成器１８に供給されている。
【００２０】
合成器１８の合成出力は出力コンデンサ２１を介して出力端子２２に供給されている。この出力端子２２は、ヘッドエンド４に接続されている。
【００２１】
このように構成された隣接チャンネル除去装置では、入力端子１０に供給されたテレビジョン放送信号群（１３チャンネル乃至１８チャンネルの地上デジタルテレビジョン放送信号、１９チャンネルの地上アナログテレビジョン放送信号）は、２分配器１２によって２分配され、その一方の分配出力は帯域除去フィルタ１４に供給される。これによって、分配出力中から１８チャンネルの地上デジタル放送信号が除去される。この帯域除去フィルタ１４の出力信号は、ローパスフィルタ１６に供給され、１７チャンネル以下の地上デジタルテレビジョン放送信号が抽出され、合成器１８に供給される。一方、他方の２分配出力は、ハイパスフィルタ２０に供給され、分配出力（１３チャンネル乃至１８チャンネルの地上デジタルテレビジョン放送信号、１９チャンネルの地上アナログテレビジョン放送信号）から１９チャンネルの地上アナログテレビジョン放送信号が抽出され、合成器１８に供給される。従って、合成器１８の出力信号は、１３チャンネル乃至１７チャンネルの地上デジタルテレビジョン放送信号と、１９チャンネルの地上アナログテレビジョン放送信号とからなり、テレビジョン放送信号群から、再送信することができない１８チャンネルの地上デジタルテレビジョン放送信号を除去したものとなる。この合成出力がヘッドエンド４に供給される。
【００２２】
図３は、この隣接チャンネル除去装置２の周波数特性を示したもので、１３チャンネル乃至１７チャンネル及び１９チャンネルでは、減衰量が約６ｄＢ前後であるが、１８チャンネルの下限及び上限周波数で約１１ｄＢの減衰量で、その中心周波数では５０ｄＢ以上の減衰量である。上述したように帯域除去フィルタ１４、ローパスフィルタ１６、ハイパスフィルタ２０の減衰点の極を１８チャンネルの中心周波数及びその付近に集めてあるので、この隣接チャンネル除去装置２は１８チャンネルの中心周波数付近での減衰量を非常に多くすることができる。従って、１８チャンネルの地上デジタルテレビジョン放送信号を受信不能の状態で、１３チャンネル乃至１７チャンネル及び１９チャンネルのテレビジョン放送信号を受信可能な状態で共同受信システムに伝送することができる。
【００２３】
第２の実施形態のチャンネル除去装置２ａを図４に示す。このチャンネル除去装置２ａは、ローパスフィルタ１６とハイパスフィルタ２０とを、２分配器１２と合成器１８とを用いて並列に接続し、その並列回路の後段側に帯域除去フィルタ１４を直列に接続したものである。
【００２４】
第３の実施形態のチャンネル除去装置２ｂを図５に示す。このチャンネル除去装置２ｂは、ローパスフィルタ１６とハイパスフィルタ２０とを、２分配器１２と合成器１８とを用いて並列に接続し、その並列回路の前段側に帯域除去フィルタ１４を直列に接続したものである。
【００２５】
第２及び第３の実施形態の隣接チャンネル除去装置２ａ、２ｂにおいても、第１の実施形態の隣接チャンネル除去装置２と同様に、県域外放送である１８チャンネルの地上デジタルテレビジョン放送信号を除去して、共同受信システムにテレビジョン放送信号群を伝送することができる。
【００２６】
なお、上記の各実施形態では、除去しようとする放送信号である１８チャンネルの下側及び上側の両側にそれぞれ放送すべき放送信号である１７チャンネルの地上デジタルテレビジョン放送信号と１９チャンネルの地上アナログテレビジョン放送信号とが存在していたので、ローパスフィルタ１６とハイパスフィルタ２０とを使用したが、除去しようとする放送の上側の隣接チャンネルに放送する必要のある放送信号が存在し、下側の隣接チャンネルに放送する必要のある放送信号が存在しないような地域では、ローパスフィルタを使用せずにハイパスフィルタのみを使用する。この場合、ハイパスフィルタと帯域除去フィルタとは直列に接続される。また、除去しようとする放送の下側の隣接チャンネルに放送する必要のある放送信号が存在し、上側の隣接チャンネルに放送する必要のある放送信号が存在しない地域では、ハイパスフィルタを使用せずにローパスフィルタのみを使用する。この場合、ローパスフィルタと帯域除去フィルタとは直列に接続される。
【００２７】
このように地域において使用する隣接チャンネル除去装置の構成が異なる場合に、隣接チャンネル除去装置をヘッドエンドに対してプラグイン方式等を利用してヘッドエンドに着脱自在に構成すれば、共同受信システムの使用地域に対応した隣接チャンネル除去装置を、ヘッドエンドの大幅な変更をせずにヘッドエンドに取り付けることができる。また、県域外放送であって除去しなければならないテレビジョン放送信号が地上アナログテレビジョン放送信号の場合には２０１１年に停波するので、それ以後には隣接チャンネル除去装置は不要となる。従って、このような隣接チャンネル除去装置をヘッドエンドに対して着脱自在としておけば、２０１１年以後、この隣接チャンネル除去装置をヘッドエンドから容易に取り外すことができる。
【図面の簡単な説明】
【００２８】
【図１】本発明の第１の実施形態の隣接チャンネル除去装置のブロック図である。
【図２】図１の隣接チャンネル除去装置を備えた共同受信システムの概略ブロック図である。
【図３】図１の隣接チャンネル除去装置の周波数特性図である。
【図４】本発明の第２の実施形態の隣接チャンネル除去装置のブロック図である。
【図５】本発明の第３の実施形態の隣接チャンネル除去装置のブロック図である。
【符号の説明】
【００２９】
２  ２ａ  ２ｂ  隣接チャンネル除去装置
１０  入力端子
１４  帯域除去フィルタ（除去フィルタ）
１６  ローパスフィルタ（第１の通過フィルタ）
２０  ハイパスフィルタ（第２の通過フィルタ）
２２  出力端子
【図１】
2007166499.tif 000003
【図２】
2007166499.tif 000004
【図３】
2007166499.tif 000005
【図４】
2007166499.tif 000006
【図５】
2007166499.tif 000007